(57)【要約】【課題】観賞する画像のデータ管理を容易にすると共に、観賞する画像の修正が容易な画像観賞システムを提供する。【解決手段】画像を表示する画像表示装置２と、画像のデータを管理するデータハンドリング装置３と、画像のデータを修正するデータ管理装置４とが通信により接続された画像観賞システム１であって、画像表示装置２は、表示手段５６に表示された画像に対する指示を入力する指示入力手段５４を備え、データ管理装置４は、指示入力手段５４から入力された指示にしたがい、画像のデータを修正するデータ修正手段７２Ｃを備え、データハンドリング装置３は、入力された画像のデータを記憶する記憶手段６４Ｂと、データ修正手段で修正された画像のデータを、記憶手段に書き込むデータ書き込み手段６５と、前記修正された画像のデータを出力する出力手段７６Ｂとを備える。【選択図】図３
2007199190.tif 000002
【特許請求の範囲】
【請求項１】
画像を表示する画像表示装置と、画像のデータをハンドリングするデータハンドリング装置と、画像のデータを管理するデータ管理装置とが通信により接続された画像観賞システムであって、
画像表示装置は、
画像のデータを受信する受信手段（Ａ）と、
前記受信した画像のデータを記憶する記憶手段（Ａ）と、
前記記憶されたデータが示す画像を表示する表示手段と、
前記表示された画像に対する指示が入力される指示入力手段と、
前記画像に対する指示の情報を送信する送信手段（Ａ）とを備え、
データハンドリング装置は、
画像のデータが入力される入力手段と、
前記入力された画像のデータを記憶する記憶手段（Ｂ）と、
前記記憶された画像のデータを送信する送信手段（Ｂ）と、
前記送信した画像のデータを基に修正された画像のデータを受信する受信手段（Ｂ）と、
前記修正された画像のデータを、前記記憶手段（Ｂ）に書き込む書き込み手段と、
前記書き込まれた画像のデータを出力する出力手段とを備え、
データ管理装置は、
前記画像に対する指示の情報を受信する受信手段（Ｃ）と、
前記受信した画像に対する指示の情報に従い、画像のデータを修正するデータ修正手段と、
前記修正した画像のデータを送信する送信手段（Ｃ）とを備えることを特徴とする画像観賞システム。
【請求項２】
画像を表示する画像表示装置と、画像のデータをハンドリングするデータハンドリング装置と、画像のデータを管理するデータ管理装置とが通信により接続された画像観賞システムであって、
画像表示装置は、
画像のデータを受信する受信手段（Ａ）と、
前記受信した画像のデータを記憶する記憶手段（Ａ）と、
前記記憶されたデータが示す画像を表示する表示手段と、
前記表示された画像に対する指示が入力される指示入力手段と、
前記画像に対する指示の情報を送信する送信手段（Ａ）とを備え、
データハンドリング装置は、
画像のデータが入力される入力手段と、
前記入力された画像のデータを記憶する記憶手段（Ｂ）と、
前記記憶された画像のデータを送信する送信手段（Ｂ）と、
前記送信した画像のデータを基に管理された画像のデータを受信する受信手段（Ｂ）と、
前記管理された画像のデータを、前記記憶手段（Ｂ）に書き込む書き込み手段と、
前記書き込まれた画像のデータを出力する出力手段とを備え、
データ管理装置は、
前記画像に対する指示の情報を受信する受信手段（Ｃ）と、
前記受信した画像に対する指示の情報に従い、画像のデータを管理するデータ管理手段と、
前記管理する画像のデータを送信する送信手段（Ｃ）とを備えることを特徴とする画像観賞システム。
【請求項３】
請求項２に記載の画像観賞システムにおいて、
前記データ管理手段は、コンテンツデータの取込み、コンテンツデータの蓄積、アプリケーションソフトウェアの追加、アプリケーションソフトウェアの更新および保有するコンテンツデータの提供のうち、少なくとも１つの機能を有することを特徴とする画像観賞システム。    
【請求項４】
画像のデータを受信する受信手段と、
前記受信した画像のデータを記憶する記憶手段と、
前記記憶されたデータが示す画像を表示する表示手段と、
前記表示された画像に対する指示が入力される指示入力手段と、
前記画像に対する指示の情報を送信する送信手段と、
を備えることを特徴とする画像表示装置。
【請求項５】
請求項４に記載の画像表示装置において、
前記指示入力手段は、操作により指示が入力される操作画面を有し、
前記操作画面は、前記表示手段に表示されることを特徴とする画像表示装置。
【請求項６】
請求項４乃至５のいずれかに記載の画像表示装置において、
人物を感知する感知手段を更に備え、
前記表示手段で表示される前記画像は、前記感知に応じて表示が制御されることを特徴とする画像表示装置。
【請求項７】
請求項４乃至６のいずれか１項に記載の画像表示装置において、
前記表示手段で表示される前記画像は、日時に関する情報に応じて表示が制御されることを特徴とする画像表示装置。
【請求項８】
画像のデータが入力される入力手段と、
前記入力された画像のデータを記憶する記憶手段と、
前記記憶された画像のデータを送信する送信手段と、
前記送信した画像のデータを基に修正された画像のデータを受信する受信手段と、
前記修正された画像のデータを、前記記憶手段に書き込む書き込み手段と、
前記書き込まれた画像のデータを出力する出力手段と、
を備えることを特徴とするデータハンドリング装置。
【請求項９】
画像のデータが入力される入力手段と、
前記入力された画像のデータを記憶する記憶手段と、
前記記憶された画像のデータを送信する送信手段と、
前記送信した画像のデータを基に管理された画像のデータを受信する受信手段と、
前記管理された画像のデータを、前記記憶手段に書き込む書き込み手段と、
前記書き込まれた画像のデータを出力する出力手段と、
を備えることを特徴とするデータハンドリング装置。
【請求項１０】
請求項８乃至９のいずれかに記載のデータハンドリング装置において、
前記出力したデータが示す画像を表示する表示手段を更に備えることを特徴とするデータハンドリング装置。
【請求項１１】
画像に対する指示の情報を受信する受信手段と、
前記受信した画像に対する指示の情報に従い、画像のデータを修正するデータ修正手段と、
前記修正した画像のデータを送信する送信手段と、
を備えることを特徴とするデータ管理装置。
【請求項１２】
画像に対する指示の情報を受信する受信手段と、
前記受信した画像に対する指示の情報に従い、画像のデータを管理するデータ管理手段と、
前記管理する画像のデータを送信する送信手段と、
を備えることを特徴とするデータ管理装置。
【請求項１３】
画像に対する指示の情報を受信する受信工程と、
前記受信した画像に対する指示の情報に従い、画像のデータを管理するデータ管理工程と、
前記管理する画像のデータを送信する送信工程と、
を備えることを特徴とするデータ管理方法。
【請求項１４】
画像に対する指示の情報を受信する受信機能と、
前記受信した画像に対する指示の情報に従い、画像のデータを管理するデータ管理機能と、
前記管理する画像のデータを送信する送信機能と、
をコンピュータに実現させることを特徴とするデータ管理プログラム。
【発明の詳細な説明】
【技術分野】
【０００１】
本発明は、人物が手指等で指示した写真を修正し、観賞可能に出力する画像観賞システム、画像表示装置、データハンドリング装置、データ管理装置、データ管理方法およびデータ管理プログラムに関する。
【背景技術】
【０００２】
従来、静止画像を撮影する方法としては、銀塩フィルムを使用する方法以外に、デジタルカメラ等を使用して被写体を撮影し、コンパクトフラッシュ（登録商標）等の記録媒体にデジタルデータを記録する方法が知られている。このようなデジタルカメラ等で撮影した電子写真を、観賞用画像として表示する装置としては、下記特許文献１のように、電子的な表示媒体と、種々のインターフェイスを具備する電子式写真立てが提案され、デジタルデータをインターフェイスから入力して、電子的な表示媒体に表示させていた。
【０００３】
【特許文献１】特開２００１−６７００４号公報
【発明の開示】
【発明が解決しようとする課題】
【０００４】
しかしながら、電子式写真立てに表示された電子写真を、多人数で観賞すべく、表示領域の広い表示装置に表示させると共に、表示している電子写真の画像を修正して、修正した電子写真を表示装置に再度表示させるためには、電子写真のデータが記録された記録媒体を、表示装置やデータ管理装置に都度装着してデータを読み書きさせる必要があり、操作が複雑であることに加えて、各装置に新旧のデータが混在するためデータ管理が煩雑であった。
【課題を解決するための手段】
【０００５】
上記した課題を解決するために、本発明の画像観賞システムは、画像を表示する画像表示装置と、画像のデータをハンドリングするデータハンドリング装置と、画像のデータを管理するデータ管理装置とが通信により接続された画像観賞システムであって、画像表示装置は、画像のデータを受信する受信手段（Ａ）と、前記受信した画像のデータを記憶する記憶手段（Ａ）と、前記記憶されたデータが示す画像を表示する表示手段と、前記表示された画像に対する指示が入力される指示入力手段と、前記画像に対する指示の情報を送信する送信手段（Ａ）とを備え、データハンドリング装置は、画像のデータが入力される入力手段と、前記入力された画像のデータを記憶する記憶手段（Ｂ）と、前記記憶された画像のデータを送信する送信手段（Ｂ）と、前記送信した画像のデータを基に修正された画像のデータを受信する受信手段（Ｂ）と、前記修正された画像のデータを、前記記憶手段（Ｂ）に書き込む書き込み手段と、前記書き込まれた画像のデータを出力する出力手段とを備え、データ管理装置は、前記画像に対する指示の情報を受信する受信手段（Ｃ）と、前記受信した画像に対する指示の情報に従い、画像のデータを修正するデータ修正手段と、前記修正した画像のデータを送信する送信手段（Ｃ）とを備える。
【０００６】
この発明によれば、画像表示装置とデータハンドリング装置とデータ管理装置とは、通信によりデータが授受可能に接続され、画像表示装置は、データハンドリング装置に記憶された画像のデータを受信して表示すると共に、画像のデータは、画像表示装置から入力される指示に従いデータ管理装置で修正された後、データハンドリング装置に送られ、記憶装置に書き込まれて管理される。従って、ユーザは、画像表示装置から修正の指示を容易に入力できることに加えて、データの管理が容易になる。加えて、ユーザにより修正された最新の画像は、データハンドリング装置から出力されるため、出力された画像を観賞することで、画像の修正が容易な画像観賞システムを提供できる。
【０００７】
上記した課題を解決するために、本発明の画像観賞システムは、画像を表示する画像表示装置と、画像のデータをハンドリングするデータハンドリング装置と、画像のデータを管理するデータ管理装置とが通信により接続された画像観賞システムであって、画像表示装置は、画像のデータを受信する受信手段（Ａ）と、前記受信した画像のデータを記憶する記憶手段（Ａ）と、前記記憶されたデータが示す画像を表示する表示手段と、前記表示された画像に対する指示が入力される指示入力手段と、前記画像に対する指示の情報を送信する送信手段（Ａ）とを備え、データハンドリング装置は、画像のデータが入力される入力手段と、前記入力された画像のデータを記憶する記憶手段（Ｂ）と、前記記憶された画像のデータを送信する送信手段（Ｂ）と、前記送信した画像のデータを基に管理された画像のデータを受信する受信手段（Ｂ）と、前記管理された画像のデータを、前記記憶手段（Ｂ）に書き込む書き込み手段と、前記書き込まれた画像のデータを出力する出力手段とを備え、データ管理装置は、前記画像に対する指示の情報を受信する受信手段（Ｃ）と、前記受信した画像に対する指示の情報に従い、画像のデータを管理するデータ管理手段と、前記管理する画像のデータを送信する送信手段（Ｃ）とを備えることを特徴とする。
【０００８】
この発明によれば、画像表示装置とデータハンドリング装置とデータ管理装置とは、通信によりデータが授受可能に接続され、画像表示装置は、データハンドリング装置に記憶された画像のデータを受信して表示すると共に、画像のデータは、画像表示装置から入力される指示に従いデータ管理装置で管理された後、データハンドリング装置に送られ、記憶装置に書き込まれて一時的に管理される。従って、ユーザは、画像表示装置から指示を容易に入力できることに加えて、データの管理が容易になる。加えて、ユーザにより管理された最新の画像は、データハンドリング装置から出力されるため、出力された画像を観賞することで、画像の修正が容易な画像観賞システムを提供できる。
【０００９】
本発明では、前記データ管理手段は、コンテンツデータの取込み、コンテンツデータの蓄積、アプリケーションソフトウェアの追加、アプリケーションソフトウェアの更新および保有するコンテンツデータの提供のうち、少なくとも１つの機能を有しても良い。
【００１０】
上記した課題を解決するために、本発明の画像表示装置は、画像のデータを受信する受信手段と、前記受信した画像のデータを記憶する記憶手段と、前記記憶されたデータが示す画像を表示する表示手段と、前記表示された画像に対する指示が入力される指示入力手段と、前記画像に対する指示の情報を送信する送信手段と、を備えることを特徴とする。
【００１１】
この発明によれば、画像のデータを受信して記憶すると共に、記憶した画像の中から、表示手段に表示した画像がユーザにより指示された場合、指示を検出して、指示された画像に関する情報を送信できる。
【００１２】
本発明では、前記指示入力手段は、操作により指示が入力される操作画面を有し、前記操作画面は、前記表示手段に表示されることが好ましい。
【００１３】
この発明によれば、表示手段に表示された操作画面を操作することにより、指示を容易に入力できる。
【００１４】
本発明は、人物を感知する感知手段を更に備え、前記表示手段で表示される前記画像は、前記感知に応じて表示が制御されることが好ましい。
【００１５】
この発明によれば、人物の感知に応じて、表示手段で表示する画像の表示を制御できる。
【００１６】
本発明は、前記表示手段で表示される前記画像は、日時に関する情報に応じて表示が制御されることが好ましい。
【００１７】
この発明によれば、日時の情報に応じて、表示手段で表示する画像の表示を制御できる。
【００１８】
上記した課題を解決するために、本発明のデータハンドリング装置は、画像のデータが入力される入力手段と、前記入力された画像のデータを記憶する記憶手段と、前記記憶された画像のデータを送信する送信手段と、前記送信した画像のデータを基に修正された画像のデータを受信する受信手段と、前記修正された画像のデータを、前記記憶手段に書き込む書き込み手段と、前記書き込まれた画像のデータを出力する出力手段と、を備えることを特徴とする。
【００１９】
この発明によれば、修正された画像のデータは、記憶手段に書き込まれて記憶されるため、画像のデータの管理が容易になる。
【００２０】
上記した課題を解決するために、本発明のデータハンドリング装置は、画像のデータが入力される入力手段と、前記入力された画像のデータを記憶する記憶手段と、前記記憶された画像のデータを送信する送信手段と、前記送信した画像のデータを基に管理された画像のデータを受信する受信手段と、前記管理された画像のデータを、前記記憶手段に書き込む書き込み手段と、前記書き込まれた画像のデータを出力する出力手段と、を備えることを特徴とする。
【００２１】
この発明によれば、管理された画像のデータは、記憶手段に書き込まれて記憶されるため、画像のデータの管理が容易になる。
【００２２】
本発明は、前記出力したデータが示す画像を表示する表示手段を更に備えることが好ましい。
【００２３】
この発明によれば、出力手段から出力されたデータが示す画像を表示させることができる。
【００２４】
上記した課題を解決するために、本発明のデータ管理装置は、画像に対する指示の情報を受信する受信手段と、前記受信した画像に対する指示の情報に従い、画像のデータを修正するデータ修正手段と、前記修正した画像のデータを送信する送信手段とを備えることを特徴とする。
【００２５】
この発明によれば、受信した画像のデータをデータ修正手段で修正すると共に、修正した画像のデータを送信できる。
【００２６】
上記した課題を解決するために、本発明のデータ管理装置は、画像に対する指示の情報を受信する受信手段と、前記受信した画像に対する指示の情報に従い、画像のデータを管理するデータ管理手段と、前記管理する画像のデータを送信する送信手段と、を備えることを特徴とする。
【００２７】
この発明によれば、受信した画像のデータを管理できると共に、管理する画像のデータを送信できる。
【００２８】
上記した課題を解決するために、本発明のデータ管理方法は、画像に対する指示の情報を受信する受信工程と、前記受信した画像に対する指示の情報に従い、画像のデータを管理するデータ管理工程と、前記管理する画像のデータを送信する送信工程と、を備えることを特徴とする。
【００２９】
この発明によれば、受信した画像のデータを管理できると共に、管理する画像のデータを送信できる。
【００３０】
上記した課題を解決するために、本発明のデータ管理プログラムは、画像に対する指示の情報を受信する受信機能と、前記受信した画像に対する指示の情報に従い、画像のデータを管理するデータ管理機能と、前記管理する画像のデータを送信する送信機能と、をコンピュータに実現させることを特徴とする。
【００３１】
この発明によれば、受信した画像のデータを管理できると共に、管理する画像のデータを送信できる。
【発明を実施するための最良の形態】
【００３２】
以下、本発明の実施形態について、画像を観賞可能に表示する画像観賞システム１を用いて説明する。
（実施形態）
【００３３】
図１は、画像観賞システム１の外観を示す図である。この画像観賞システム１は、画像表示装置２とデータハンドリング装置３とデータ管理装置４とで構成される。この中で、画像表示装置２とデータハンドリング装置３とは、無線通信により接続され、データハンドリング装置３とデータ管理装置４とは、有線通信により接続されている。
【００３４】
画像表示装置２は、フォトフレームのような様体であり、表示パネル３４に電子写真等の観賞用画像が表示される電子式写真立てである。尚、図示は略すが、この画像表示装置２は、脱着可能に構成された接続台（クレードル）に搭載されている。また、データハンドリング装置３は、パーソナルコンピュータ５を基体として、スキャナ４２、ビデオモニタ４６、キーボード４３Ｂおよび無線通信装置３６Ｂがケーブル２９を介して接続されている。尚、画像表示装置２は、このような様体には限定されず、上記機能を一体化した様体であっても良い。同様に、データハンドリング装置３も、このような様体には、限定されず、同等の機能を有するＡＶ機器やＴＶ周辺機器であっても良い。更に、データ管理装置４は、表示装置４４Ｃとキーボード４３Ｃとを含むノート型コンピュータ８０を基体として、スキャナ４２とパーソナルコンピュータ５とが、それぞれのケーブル２９を介して接続されているが、このような様体には限定されない。
【００３５】
この画像観賞システム１は、データハンドリング装置３に接続されたスキャナ４２等で画像のデータを読み込んで記憶し、記憶した種々の画像を、無線通信装置３６Ｂを介して画像表示装置２に送り、表示パネル３４に表示させる。更に、この表示パネル３４に表示されている画像の１つを、ユーザが指示具３３により指示することにより、データハンドリング装置３は、表示パネル３４に表示されている画像のデータを検索し、大画面を有するビデオモニタ４６に前記画像を表示させる機能を有する。また、ユーザの所定の操作を契機にして、画像表示装置２の表示パネル３４には操作画面が表示され、この操作画面からユーザが入力する指示に従い、データ管理装置４は、データハンドリング装置３に記憶されている画像のデータを読み込んで、修正や加工を施した後、データハンドリング装置３に記憶させる。これらの機能の詳細は後述する。
【００３６】
図２は、画像観賞システム１のハードウェア構成を示す図である。最初に、画像表示装置２のハードウェア構成について説明する。この画像表示装置２は、ＣＰＵ（Ｃｅｎｔｒａｌ  Ｐｒｏｃｅｓｓｉｎｇ  Ｕｎｉｔ）１０Ａと、ＲＡＭ（Ｒａｎｄｏｍ  Ａｃｃｅｓｓ  Ｍｅｍｏｒｙ）１４Ａと、ＲＯＭ（Ｒｅａｄ  Ｏｎｌｙ  Ｍｅｍｏｒｙ）１２Ａと、記憶装置１６Ａと、計時回路１８Ａと、表示パネル駆動回路２４と、入力Ｉ／Ｆ（Ｉｎｔｅｒｆａｃｅ）２２Ａと、通信Ｉ／Ｆ２６Ａとを備える。これらのハードウェアは、バス２８Ａにより各信号が授受可能に接続されている。また、これらのハードウェアは、基本ソフトウェアであるＢＩＯＳ（Ｂａｓｉｃ  Ｉｎｐｕｔ  Ｏｕｔｐｕｔ  Ｓｙｓｔｅｍ）や、オペレーティングシステム（ＯＳ）により管理され、これらの管理下で、ＲＯＭ１２Ａや記憶装置１６Ａに記憶されたドライバを含む種々のソフトウェアにより、所定の機能が実行される。
【００３７】
ＣＰＵ１０Ａは、基本ソフトウェア、入力Ｉ／Ｆ２２Ａや通信Ｉ／Ｆ２６Ａに接続された各装置のデバイスドライバなどの各種プログラム、および各種のデータをＲＯＭ１２Ａや記憶装置１６Ａから読み込み、これらをＲＡＭ１４Ａ内に設けられるメインメモリ領域に展開して実行する。記憶装置１６Ａは、情報を読書き可能に記憶する装置であり、例えば、ハードディスクドライブやフラッシュメモリを採用できる。計時回路１８Ａは、ＣＰＵ１０Ａのクロック信号をカウントすることで、時間の経過に関する信号を生成する。表示パネル駆動回路２４は、ＣＰＵ１０Ａの指示に従い、記憶装置１６Ａに記憶された画像の中から所定の画像を、ハガキサイズ程度の液晶表示体で構成される表示パネル３４に表示する。
【００３８】
入力Ｉ／Ｆ２２Ａには、人感センサ３０およびタッチセンサ３２が所定の規格に従い接続されている。人感センサ３０は、人物の温度や熱線、動き等を検出して、人物の存在を感知するセンサであり、人物が所定の空間に存在する場合、所定の電気信号を出力するように構成されている。また、タッチセンサ３２は、押圧や赤外線や超音波領域内の物体の存在、静電容量もしくは温度等を検出して、人物の手指や指示具３３が接触したり、指示した場合、所定の電気信号を出力するように構成されている。
【００３９】
通信Ｉ／Ｆ２６Ａには、無線通信装置３６Ａが所定の規格に従い接続されている。この無線通信装置３６Ａは、電波を媒体としてデータハンドリング装置３の無線通信装置３６Ｂとの間で種々の信号を授受する。尚、本実施形態では、無線による通信装置のみに限定されるものでは無く、有線による通信装置を更に具備しても良い。
【００４０】
次に、データハンドリング装置３のハードウェア構成について説明する。このデータハンドリング装置３は、ＣＰＵ１０Ｂと、ＲＡＭ１４Ｂと、ＲＯＭ１２Ｂと、記憶装置１６Ｂと、計時回路１８Ｂと、画像処理回路２０Ｂと、入力Ｉ／Ｆ２２Ｂと、出力Ｉ／Ｆ２７Ｂと、通信Ｉ／Ｆ２６Ｂとを備え、これらのハードウェアは、バス２８Ｂにより各信号が授受可能に接続されている。尚、これらのハードウェアは、基本ソフトウェアであるＢＩＯＳや、オペレーティングシステム（ＯＳ）により管理され、これらの管理下で、ＲＯＭ１２Ｂや記憶装置１６Ｂに記憶されたドライバを含む種々のソフトウェアにより、所定の機能が実行される。また、ＣＰＵ１０Ｂ、ＲＡＭ１４Ｂ、ＲＯＭ１２Ｂ、記憶装置１６Ｂおよび計時回路１８Ｂは、画像表示装置２のそれぞれと同様の機能を有するため、説明は省略する。
【００４１】
画像処理回路２０Ｂは、人物像を含む画像の中から人物の顔を認識し、人物を特定する。このような処理は、例えば、特開２００３−１４１５４２号公報に記載された処理方法を採用できる。また、スキャナ４２で読み込んだ画像の中から日付情報を抽出する。更に、記憶装置１６Ｂに記憶している画像データの加工編集を行う。
【００４２】
入力Ｉ／Ｆ２２Ｂには、メモリカードリーダ４０Ｂ、スキャナ４２およびキーボード４３Ｂが所定の規格に従い接続されている。メモリカードリーダ４０Ｂは、図示を略したメモリカードを装着して接続し、メモリカードに記録された画像のデータファイルを読み込む。また、スキャナ４２は、画像が印刷された印刷物を読み取り部にセットして、ラインセンサを走査させることにより、その印刷物の電子データをデータファイル形式で生成できる。
【００４３】
出力Ｉ／Ｆ２７Ｂには、画像を表示する表示装置４４Ｂが接続されている。この表示装置４４Ｂには、ビデオモニタ４６を始め、テレビ受像機、プロジェクタおよびリアプロジェクションテレビ等の大画面を有する電子機器を採用できる。
【００４４】
通信Ｉ／Ｆ２６Ｂは、無線通信装置３６Ｂと、有線通信装置３８Ｂと、ネットワーク通信装置８２とが所定の規格に従い接続されている。無線通信装置３６Ｂは、画像表示装置２の無線通信装置３６Ａと種々の信号を授受する。有線通信装置３８Ｂは、データ管理装置４の有線通信装置３８Ｃとの間で、種々の信号を授受する。ネットワーク通信装置８２は、所定のプロトコルに従い、ネットワークに接続されたサーバ６３の通信装置との間で、種々の信号を授受する。
【００４５】
次に、データ管理装置４のハードウェア構成について説明する。このデータ管理装置４は、ＣＰＵ１０Ｃと、ＲＡＭ１４Ｃと、ＲＯＭ１２Ｃと、記憶装置１６Ｃと、画像処理回路２０Ｃと、入力Ｉ／Ｆ２２Ｃと、出力Ｉ／Ｆ２７Ｃと、通信Ｉ／Ｆ２６Ｃとを備え、これらのハードウェアは、バス２８Ｃにより各信号が授受可能に接続されている。尚、これらのハードウェアは、基本ソフトウェアであるＢＩＯＳや、オペレーティングシステム（ＯＳ）により管理され、これらの管理下で、ＲＯＭ１２Ｃや記憶装置１６Ｃに記憶されたドライバを含む種々のソフトウェアにより、所定の機能が実行される。また、ＣＰＵ１０Ｃ、ＲＡＭ１４Ｃ、ＲＯＭ１２Ｃおよび記憶装置１６Ｃは、画像表示装置２のそれぞれと同様の機能を有するため、説明は省略する。同様に、画像処理回路２０Ｃは、データハンドリング装置３の画像処理回路２０Ｂと同様の機能を有するため、説明は省略する。
【００４６】
入力Ｉ／Ｆ２２Ｃには、メモリカードリーダ４０Ｃとスキャナ４２とキーボード４３Ｃとが所定の規格に従い接続されている。メモリカードリーダ４０Ｃは、図示を略したメモリカードを着脱可能に接続し、メモリカードに記録された画像のデータファイルを読み込む。また、スキャナ４２の出力は、データハンドリング装置３、またはデータ管理装置４の何れかに切替えて使用される。また、出力Ｉ／Ｆ２７Ｃには、画像を表示する表示装置４４Ｃが接続されている。更に、通信Ｉ／Ｆ２６Ｃは、有線通信装置３８Ｃが所定の規格に従い接続され、データハンドリング装置３の有線通信装置３８Ｂとの間で種々の信号を授受する。
【００４７】
図３は、画像観賞システム１の機能構成を示す図である。最初に、画像表示装置２の機能構成について説明する。この画像表示装置２は、制御部５０Ａと、感知手段５２と、指示入力手段５４と、表示手段５６と、計時手段５８Ａと、記憶手段６４Ａと、無線通信手段６０Ａとを有する。
【００４８】
感知手段５２は、人物を感知する。具体的には、人感センサ３０の出力信号の変化から、人物の近接を判定し、判定結果を制御部５０Ａに送信する。この結果、人物が画像表示装置２に近づいたと判定された場合は、制御部５０Ａからの指示により、画像表示装置２は、表示手段５６に画像を表示する「画像表示モード」に遷移する。また、人物が画像表示装置２から遠ざかったと判定された場合は、制御部５０Ａからの指示により、画像表示装置２は、所定の待機時間を経て、表示手段５６で画像を表示しない「画像非表示モード」に遷移する。
【００４９】
指示入力手段５４は、ユーザにより指示が入力される。具体的には、表示手段５６に画像が表示されている場合、人物の手指や指示具３３による押下または指示をタッチセンサ３２の出力信号の変化から判定し、判定結果を制御部５０Ａに送信する。ここで、画像表示装置２が「画像表示モード」の状態で、指示が入力された場合、制御部５０Ａからの指示により、画像表示装置２は、「画像出力モード」に遷移する。この「画像出力モード」では、表示手段５６で表示されている画像の情報（ＩＤ情報）が、データハンドリング装置３に送信されると共に、画像表示装置２の表示手段５６には、画像に替わり、ユーザインターフェイスとして機能する操作画面（図示は略す）が表示される。ユーザは、この操作画面を操作して、画像観賞システム１に種々の動作を指示することができる。また、指示具３３は、指示具３３として使用しない場合は、フォトフレームのような画像表示装置２を立てるために支持する機能を有しても良い。
【００５０】
表示手段５６は、記憶手段６４Ａに記憶された画像のデータの中から、制御部５０Ａから指示されたデータが示す画像を、表示パネル３４に表示する。尚、表示する画像のデータは１つに限定されず、制御部５０Ａから指示されるデータが、所定のタイミングに応じて変更されることで、表示される画像が順次切替わる「スライドショーモード」も対応できる。また、画像の表示に加えて、画像観賞システム１の状態を知らせるメッセージも併せて表示できる。
【００５１】
計時手段５８Ａは、所定の開始時刻からの経過日時や、現在の日時等の情報を出力する。具体的には、制御部５０Ａからの指示に従い、計時回路１８Ａからの信号を基に算出した情報を生成し、生成した情報を出力する。また、制御部５０Ａに前記スライドショーモードの画像切替えタイミング、および表示手段５６への所定の画像表示タイミングを連絡し、タイミングや日時に応じた画像を表示させる。尚、計時手段５８Ａは、前記機能に加えて、以下の機能を有する。尚、データハンドリング装置３の各機能部は後述する。
（１）データハンドリング装置３のユーザー情報管理手段７３Ｂが管理するユーザー/ユーザー関係者の属性/予定のタイミング(期間/期日/時刻)情報とその属性/予定に相応しいとデータハンドリング装置３の制御部５０Ｂが選定した画像のＩＤ情報を、データハンドリング装置３の制御部５０Ｂ、無線通信手段（６０Ｂ，６０Ａ）、画像表示装置２の制御部５０Ａを介して受け取り、管理する。
（２）データハンドリング装置３の計時手段５８Ｂの日時情報に従い入手した鑑賞画像のＩＤ情報と対応する日時情報を、データハンドリング装置３の制御部５０Ｂから無線通信手段（６０Ｂ，６０Ａ）、画像表示装置２の制御部５０Ａを介して受け取り、管理する。
（３）画像表示装置２の表示手段５６に画像を表示するタイミング(期間/期日/時刻)を制御部５０Ａに知らせ、該当する写真(属性/予定に相応しい画像群、鑑賞画像群)を表示手段５６に表示するよう促す。
（４）複数の画像のスライドショー表示を繰る時間間隔を、制御部５０Ａを介して制御する。
（５）タイマーの日時情報は、定期的に無線通信手段（６０Ｂ，６０Ａ）を介して、データハンドリング装置３の計時手段５８Ｂの同等情報と同期を図る。尚、上記した機能は、計時手段５８Ａに限定されず、制御部５０Ａで有しても良い。
【００５２】
記憶手段６４Ａは、種々のデータを記憶する。具体的には、データハンドリング装置３から送信される画像のデータ、画像の属性情報を示すタグ情報、および画像観賞システム１のユーザに関する情報等が記憶される。ここで、タグ情報とは、画像に関する日付情報、画像が生成された場所情報および画像の被写体情報等である。また、ユーザに関する情報とは、ユーザの属性情報や、ユーザの行動予定情報等である。更に、無線通信手段６０Ａは、データハンドリング装置３との間で無線により通信を行う。
【００５３】
制御部５０Ａは、前記した各機能部を制御すると共に、各機能部の状態を把握し、表示手段５６での表示に反映させる。例えば、表示可能な画像が複数存在する場合や、日時情報が新しい画像のデータが、外部のサーバ６３から取込まれて送信された場合、この制御部５０Ａは、これらの画像の中で、無線通信手段６０Ａを介して新規に受信した画像や、メッセージ等の画像に関する情報をを優先して即座に表示する。また、この制御部５０Ａは、計時手段５８Ａが指定するタイミングに対応してユーザが属する属性に相応しいと判断する画像を、２番目に優先して表示する。更に、この制御部５０Ａは、計時手段５８Ａが指定する日時に対応する画像を、３番目に優先して表示する。ここで、計時手段５８Ａが指定する日時に対応する画像は、例えば、所定の基準で選択された７枚の画像であり、これらの画像は、各曜日に対応付けられ、それぞれの曜日に応じて表示パネル３４に表示される。
【００５４】
次に、データハンドリング装置３の機能構成について説明する。このデータハンドリング装置３は、制御部５０Ｂと、ユーザ情報管理手段７３Ｂと、タグ情報生成手段７５Ｂと、計時手段５８Ｂと、無線通信手段６０Ｂと、有線通信手段６２Ｂと、記憶手段６４Ｂと、データ書き込み手段６５と、画像入力手段７４Ｂと、出力手段７６Ｂと、表示手段７８Ｂと、ネットワーク通信手段８４とを有する。尚、このデータハンドリング装置３は、起動状態と休止状態の２つの状態の間で遷移し、起動状態にある場合は、全ての機能部が起動している。また、休止状態では、全ての機能部の内、計時手段５８Ｂ、ユーザ情報管理手段７３Ｂ、制御部５０Ｂ、無線通信手段６０Ｂおよび記憶手段６４Ｂが起動していると共に、他の機能部は休止している状態を示す。
【００５５】
ユーザ情報管理手段７３Ｂは、ユーザの属性情報や予定情報を管理し、属性情報に関連する期間や、期日や、時刻等のタイミングを事前に割り出し、記憶手段６４Ｂに記憶する。加えて、ユーザ情報管理手段７３Ｂは、制御部５０Ｂが属性または予定に対応するタイミングに相応しい画像を記憶手段６４Ｂから選択するべく、計時手段５８Ｂの日時情報を参照して、属性または予定に対応するタイミング情報を制御部５０Ｂに出力する。尚、このタイミング情報は、制御部５０Ｂから画像表示装置２に送られる。
【００５６】
タグ情報生成手段７５Ｂは、制御部５０Ｂからの指示に従い、画像入力手段７４Ｂに入力された画像データから、タグ情報を作成する。具体的には、画像処理回路２０Ｂにより、入力された画像データを画像処理することで、画像に含まれる人物の顔を認識して特定する。続いて、特定された人物に関するタグ情報を作成して、記憶手段６４Ｂに記憶する。尚、人物が特定できなかった場合は、タグ情報生成手段７５Ｂが予め用意した選択枝に従い、ユーザが対話形式でタグ情報を作成して、記憶手段６４Ｂに記憶する。
【００５７】
計時手段５８Ｂは、所定の開始時刻からの経過日時や、現在の日時等の情報を出力する。具体的には、制御部５０Ｂからの指示に従い、計時回路１８Ｂからの信号を基に算出した情報を生成し、生成した情報を出力する。また、この計時手段５８Ｂと、画像表示装置２の計時手段５８Ａとは、無線通信手段（６０Ａ，６０Ｂ）を介して定期的に同期を取るように構成されている。
【００５８】
無線通信手段６０Ｂは、画像表示装置２との間で無線により通信を行う。また、有線通信手段６２Ｂは、データ管理装置４との間で有線により通信を行う。また、ネットワーク通信手段８４は、インターネットのようなネットワークを介してサーバ６３等の外部通信手段８５との間で、通信を行う。
【００５９】
画像入力手段７４Ｂは、画像のデータが入力される。具体的には、キーボード４３Ｂに入力される指示に従い、スキャナ４２により生成されたファイル形式の画像データや、メモリカードリーダ４０Ｂから読み込まれたファイル形式の画像データは、記憶手段６４Ｂに記憶される。尚、画像データの入力方法は前記した方法に限定されず、例えば、ネットワーク通信手段８４を介して、ネットワークに接続されたサーバ６３から画像のデータをダウンロードしても良い。また、記憶する画像には、画像のファイル名等を示すＩＤ情報が付与され、このＩＤ情報を用いて画像表示装置２との間で画像の情報を授受するように構成されている。更に、画像入力手段７４Ｂは、これらのファイル形式の画像データから、日付情報や場所情報を読み出すと共に、読み出した情報をタグ情報生成手段７５Ｂに送る。
【００６０】
記憶手段６４Ｂは、種々のデータを記憶する。具体的には、画像入力手段７４Ｂから入力された画像のデータ、タグ情報生成手段７５Ｂで作成されたタグ情報、およびユーザ情報管理手段７３Ｂから送られるユーザに関する情報等を記憶する。
【００６１】
データ書き込み手段６５は、データ管理装置４のデータ修正手段７２Ｃで修正された画像のデータを、記憶手段６４Ｂに書き込む。その際、記憶されている修正前の画像のデータが存在する場合は、上書きする。具体的には、記憶手段６４Ｂに対して、修正前の画像データの削除を指示すると共に、修正された画像のデータの書き込みを指示する。
【００６２】
出力手段７６Ｂは、制御部５０ＢがＩＤ情報に基き検索した画像のデータを読み込み、映像信号として出力する。具体的には、出力される映像信号の示す画像は、画像表示装置２の表示手段５６で表示されていた画像と同一であり、表示手段７８Ｂで表示可能な映像信号に変換された後、図示を略した出力端子から出力される。また、映像信号に加えて、表示手段７８Ｂに入力された映像信号を表示させるべく、表示手段７８Ｂを制御する種々の信号、例えば、電源制御信号や、チャンネル制御信号や、リモコン制御信号等も同時に出力される。
【００６３】
次に、データ管理装置４の機能構成について説明する。このデータ管理装置４は、制御部５０Ｃと、データ修正手段７２Ｃと、ユーザ情報管理手段７３Ｃと、画像入力手段７４Ｃと、タグ情報生成手段７５Ｃと、有線通信手段６２Ｃと、記憶手段６４Ｃと、出力手段７６Ｃと、データ管理手段７７と、表示手段７８Ｃとを有する。尚、画像入力手段７４Ｃ、タグ情報生成手段７５Ｃ、有線通信手段６２Ｃ、記憶手段６４Ｃ、出力手段７６Ｃおよび表示手段７８Ｃについては、データハンドリング装置３のそれぞれと略同一の機能を有するため、各機能部の説明は省略する。尚、有線通信手段６２Ｃは、データハンドリング装置３との通信に限定されず、データハンドリング装置３のネットワーク通信手段８４を利用するか、もしくは、図示を略すネットワーク通信手段を具備し、ネットワークを介してサーバ６３等の外部通信手段８５との間で、通信を行うことも想定できる。
【００６４】
尚、このデータ管理装置４は、起動状態と休止状態の２つの状態の間で遷移し、起動状態にある場合は、全ての機能部が起動している。また、休止状態では、全ての機能部の内、ユーザ情報管理手段７３Ｃ、制御部５０Ｃ、有線通信手段６２Ｃおよび記憶手段６４Ｃが起動している状態を示す。例えば、画像表示装置２の表示パネル３４に画像が表示されている状態において、ユーザがタッチセンサ３２を指示した場合、起動状態に遷移される。また、ユーザが表示パネル３４に表示された操作画面から休止を指示した場合、休止状態に遷移される。更に、データ管理装置４のキーボード４３Ｃから直接指示することで、起動状態と休止状態を切替えることができる。
【００６５】
データ修正手段７２Ｃは、ユーザが表示パネル３４に表示された操作画面からの指示により、フォトムービー作成やスライドショー作成等を含むデータの編集および修正に加えて、画像イメージを変更、削除および追加できる。具体的には、このデータ修正手段７２Ｃは、データ管理装置４にインストールされた画像編集ソフトウェアであり、このソフトウェアに具備された種々の機能により実現される。例えば、画像入力手段７４Ｃの１つであるスキャナ４２から画像データを読み込み、修正対象の画像に追加したり、画像の一部分を置き換えることも可能である。
【００６６】
データ管理手段７７は、ユーザの指示に従い、所定のタイミングで外部のサーバ６３から写真加工ソフトウェアや写真編集ソフトウェアの更新版を取得し、これらのソフトウェアのアップデートを行う。また、データ管理手段７７は、ユーザの指示に従い、記憶手段６４Ｃに記憶するデジタル写真のデータを画像表示装置２の表示手段５６に表示させるべく提供する。更に、データ管理手段７７は、ユーザの指示に従い、写真加工ソフトウェアや写真編集ソフトウェアを起動させ、簡易フォトムービを作成し、記憶手段６４Ｃに蓄積する。  
【００６７】
ユーザ情報管理手段７３Ｃは、データハンドリング装置３のユーザ情報管理手段７３Ｂが有する機能に加え、２つのユーザ情報管理手段（７３Ｂ，７３Ｃ）が管理するユーザーの属性情報や予定情報について、データハンドリング装置３の制御部５０Ｂからの指示に従い、互いに照合し、それぞれが管理する情報を最新の情報に更新する機能を具備する。
【００６８】
以上、画像観賞システム１の各機能部を説明したが、これらの機能は、前記したハードウェア資源と、ソフトウェアとが有機的に協働することで実現される。
【００６９】
図４は、画像観賞システム１における画像観賞の１つの処理の流れを示すタイミング図であり、この図に従い説明する。
【００７０】
最初に、画像表示装置２の表示パネル３４は、何も表示されていない状態（画像非表示モード）である（ステップＳ１００）。
【００７１】
ここで、ユーザが画像表示装置２に近づくことにより、人感センサ３０は、ユーザを感知する（ステップＳ１０２）。この人感センサ３０の感知を受けて、制御部５０Ａから指示される画像が、表示パネル３４に表示（画像表示モード）される（ステップＳ１０４）。更に、制御部５０Ａは、表示パネル３４で表示する画像を、所定の時間毎に切替えて表示（スライドショーモード）する（ステップＳ１０６）。
【００７２】
ここで、ユーザは、表示パネル３４に順次切替えて表示されている画像の中から、嗜好する画像を指示具３３で指示し、この指示をタッチセンサ３２が検出する（ステップＳ１１０）。タッチセンサ３２での検出を受け、制御部５０Ａは、データハンドリング装置３に対して、起動を要求する信号を生成すると共に、無線通信装置３６Ａを介してデータハンドリング装置３に送信する（ステップＳ１１２）。
【００７３】
休止状態のデータハンドリング装置３は、起動している無線通信装置３６Ａを介して、起動を要求する信号を受信する（ステップＳ１３０）。更に、前記信号を受け、データハンドリング装置３の制御部５０Ｂは、起動状態に遷移すべく、データハンドリング装置３の各部を起動する（ステップＳ１３２）と共に、データ管理装置４に対して、起動を指示する信号を送信する。
【００７４】
休止状態のデータ管理装置４は、前記信号を受け、各部が起動された起動状態に遷移される（ステップＳ１６０）。続いて、データ管理装置４は、起動の完了を示す信号をデータハンドリング装置３に送信する（ステップＳ１６１）。
【００７５】
データハンドリング装置３は、各部の起動を確認すると共に、前記信号の受信を確認して、起動が完了した旨の信号を画像表示装置２に送信する（ステップＳ１３４）。
【００７６】
画像表示装置２は、前記信号を受信して、データハンドリング装置３の各部の起動を確認する（ステップＳ１１４）。続いて、画像表示装置２の制御部５０Ａは、ユーザにより指示された画像のファイル名等を示すＩＤ情報をデータハンドリング装置３に送信する（ステップＳ１１６）。この後、表示パネル３４には、ユーザインターフェイスを備える操作画面が操作可能に表示される（ステップＳ１１８）。
【００７７】
データハンドリング装置３は、送信されたＩＤ情報を受信する（ステップＳ１３６）。続いて、データハンドリング装置３の制御部５０Ｂは、受信したＩＤ情報が示す画像のデータを記憶装置１６Ｂから読み込み（ステップＳ１３８）、出力手段７６Ｂに送る。出力手段７６Ｂは、表示装置４４Ｂを起動させると共に、制御部５０Ｂから送られる画像のデータから映像信号のデータを生成し、生成した映像信号を表示装置４４Ｂで表示させるべく、表示装置４４Ｂの設定を行う（ステップＳ１４０）。続いて、出力手段７６Ｂは、映像信号のデータを表示装置４４Ｂに送り、映像信号が示す画像を表示装置４４Ｂに表示させる（ステップＳ１４２）。
【００７８】
ここで、ユーザは、画像表示装置２の表示パネル３４に表示された操作画面を操作して、画像を修正する工程を選択する（ステップＳ１１９）。この選択された工程に関する情報は、データハンドリング装置３に対して送信される。
【００７９】
データハンドリング装置３の制御部５０Ｂは、前記情報を受けると共に、データ管理装置４に対して、画像を修正する画像修正モードに入るように指示する（ステップＳ１４３）。データ管理装置４の制御部５０Ｃは、前記信号を受け、データ修正手段７２Ｃを起動する（ステップＳ１６２）。
【００８０】
更に、データハンドリング装置３の制御部５０Ｂは、データ管理装置４に対して、修正する画像のデータを送信し（ステップＳ１４４）、データ管理装置４の制御部５０Ｃは、前記画像のデータを受信する（ステップＳ１６４）。
【００８１】
画像修正モードでは、ユーザは、画像表示装置２の表示パネル３４に表示される操作画面に従い、スライドショーの作成や、フォトムービーの作成を含む画像の修正や、画像イメージの変更等を行う（ステップＳ１２０）。この修正指示は、データハンドリング装置３に対して送信され、データハンドリング装置３は、受信した前記指示をデータ管理装置４に転送する（ステップＳ１４５）。データ管理装置４は、前記指示を受信すると共に、前記指示に従い、データ修正手段７２Ｃやデータ管理手段７７により画像のデータを修正したり、コンテンツデータの取込み、コンテンツデータの蓄積、アプリケーションソフトウェアの追加、アプリケーションソフトウェアの更新および保有するコンテンツデータの提供を行う（ステップＳ１６６）。
【００８２】
前記工程を繰返した後、ユーザは、画像表示装置２の表示パネル３４に表示された操作画面から、画像の修正の終了を指示する（ステップＳ１２２）。データハンドリング装置３の制御部５０Ｂは、前記指示を受けると共に、データ管理装置４に対して、画像の修正を終了するように指示する（ステップＳ１４６）。データ管理装置４の制御部５０Ｃは、前記指示を受け、修正された画像のデータをデータハンドリング装置３に送信する（ステップＳ１６８）。データハンドリング装置３の制御部５０Ｂは、送信された画像のデータを受信し（ステップＳ１４８）、受信した画像のデータの書き込みをデータ書き込み手段６５に指示すると共に、受信したデータが示す画像を表示装置４４Ｂに表示させる（ステップＳ１５０）。
【００８３】
ここで、ユーザは、表示装置４４Ｂに表示された画像を観賞した後、操作画面から画像の表示の終了を指示する（ステップＳ１２３）。
【００８４】
画像表示装置２の制御部５０Ａは、前記指示を受け、表示の終了を指示する信号をデータハンドリング装置３に送信する（ステップＳ１２４）。更に、この制御部５０Ａは、表示パネル３４で表示する画像を、所定の時間毎に切替えて表示（スライドショーモード）し（ステップＳ１２６）、所定の時間の間、人物が感知されない場合は、表示パネル３４を非表示モードに遷移させる（ステップＳ１２８）。
【００８５】
他方で、データハンドリング装置３は、表示の終了を指示する信号を受信し（ステップＳ１５２）、この信号をデータ管理装置４に転送する（ステップＳ１５４）と共に、各機能部を休止状態に遷移させる（ステップＳ１５６）。また、データ管理装置４の制御部５０Ｃは、前記信号を受信し（ステップＳ１７０）、各機能部を休止状態に遷移させる（ステップＳ１７２）。
【００８６】
次に、図５は、画像観賞システム１において、タグ情報に応じたスライドショーの画像の更新処理の流れを示すタイミング図であり、この図に従い説明する。
【００８７】
最初に、休止状態、もしくは起動状態のデータハンドリング装置３の制御部５０Ｂは、現在の日時に関する情報を、ユーザ情報管理手段７３Ｂが出力するタイミング情報に基いて取得する（ステップＳ２７０）。更に、制御部５０Ｂは、取得した日時に関する情報に関連したタグ情報を有する画像群を、記憶装置１６Ｂに記憶された画像もしくは、データ管理装置４の記憶装置１６Ｃに記憶された画像の中から選定し（ステップＳ２７２）、選定した画像群のファイル名等のＩＤ情報と、画像群のタグ情報に含まれる日時の情報とを関連付けてユーザ情報管理手段７３Ｂに管理させる（ステップＳ２７４）。
【００８８】
他方で、画像表示装置２の制御部５０Ａは、現在の日時に関する情報を、ユーザ情報管理手段７３Ｂから出力されたタイミング情報に基いて取得する（ステップＳ２６０）。続いて、制御部５０Ａは、データハンドリング装置３に対して、画像群が更新されたか、否かを問い合わせ、更新されている場合は、画像群のデータ送信を要求する（ステップＳ２６２）。
【００８９】
データハンドリング装置３の制御部５０Ｂは、データ送信の要求を受け、選定した画像群のデータとＩＤ情報とを画像表示装置２に送信する（ステップＳ２７６）。
【００９０】
画像表示装置２の制御部５０Ａは、送信される画像群のデータとＩＤ情報とを受信し（ステップＳ２６４）、受信した画像群のデータを記憶装置１６Ａに記憶し、受信したＩＤ情報は、計時手段５８Ａに管理させる。次に、人感センサ３０が人物を感知してから、所定の時間内であり、表示パネル３４で表示すべき画像が指示されていない状態であって、操作画面が表示されていない場合に限り、制御部５０Ａは、記憶した画像群を所定の時間毎に切替えて表示パネル３４に表示させるスライドショーを実行する（ステップＳ２６６）。
【００９１】
スライドショーを実行して所定の時間内に、人感センサ３０が人物を感知しない場合、制御部５０Ａは、表示パネル３４を非表示モードに遷移させる（ステップＳ２６８）。
【００９２】
次に、図６は、画像観賞システム１において、画像データが入力される処理の流れを示すタイミング図であり、この図に従い説明する。
【００９３】
最初に、データハンドリング装置３は、ユーザにより起動される（ステップＳ１９２）。次に、ユーザは、画像のデータが記録されたメモリカードをメモリカードリーダ４０Ｂに装着する（ステップＳ１９４）。更に、ユーザがキーボード４３Ｂから操作指示することにより、メモリカードに記録された画像のデータが読み取られ、記憶装置１６Ｂに記憶される（ステップＳ１９６）。ここで、画像のデータは、メモリカードに記録された画像に限定されず、データ管理装置４の記憶装置１６Ｃに記憶されている画像データを読み出しても良い。
【００９４】
続いて、制御部５０Ｂは、タグ情報生成手段７５Ｂに対して、記憶した画像データからタグ情報の生成を指示する（ステップＳ１９８）。続いて、画像データの受信を画像表示装置２に指示すべく信号を送信する（ステップＳ２００）。
【００９５】
画像表示装置２は、前記信号を受信する（ステップＳ１８０）と共に、制御部５０Ａは、画像データを受信可能な状態に遷移させる（ステップＳ１８２）。続いて、制御部５０Ａは、画像データの送信を要求する信号を、データハンドリング装置３に送信する（ステップＳ１８４）。
【００９６】
データハンドリング装置３は、前記信号を受信した後、読み取った画像のデータと生成したタグ情報とを画像表示装置２に送信する（ステップＳ２０２）。
【００９７】
画像表示装置２は、前記画像データとタグ情報とを受信し（ステップＳ１８６）、画像データは記憶装置１６Ａに記憶すると共に、タグ情報は、計時回路１８Ａに管理させる。続いて、制御部５０Ａは、記憶した画像を所定の時間毎に切替えて表示パネル３４に表示させるスライドショーを実行する（ステップＳ１８８）。また、この際、データハンドリング装置３からの画像の取り込みが終了した旨のメッセージを、表示パネル３４に重畳して表示しても良い。
【００９８】
スライドショーを実行して所定の時間内に、人感センサ３０が人物を感知しない場合、制御部５０Ａは、表示パネル３４を非表示モードに遷移させる（ステップＳ１９０）。
【００９９】
以上述べた実施形態によれば、以下のような効果を奏する。
（１）ユーザは、電子式写真立てのような表示パネル３４に表示された画像を指示することで、大画面を有する表示装置４４Ｂに表示できるため、ユーザが所望する画像を多人数で観賞できる。
（２）表示パネル３４には、日時情報や、画像を観賞する人物の属性やスケジュールに応じて、表示する画像が選択されて表示されるため、画像を観賞させたい人物に対し、表示する画像を注視させることができる。
（３）データ管理装置を活用して各種機能を補えることができる。
【０１００】
以上、本発明を図示した実施形態に基づいて説明したが、本発明は、本実施形態に限定されるものではなく、以下に述べるような変形例も想定できる。
（１）表示する画像は、静止画に限定されず、動画であっても良い。
（２）表示パネル３４は、表示記憶性を有し、人感センサ３０による表示の制御は行わず、常に画像が表示されていても良い。
（３）データ管理装置４のデータ修正手段７２の機能の中で、スライドショーの作成や、フォトムービーの作成のようなデータの修正は、データハンドリング装置３に実行させても良い。
【図面の簡単な説明】
【０１０１】
【図１】本発明の実施形態に係る画像観賞システムの外観を示す図。
【図２】本発明の実施形態に係る画像観賞システムのハードウェア構成を示す図。
【図３】本発明の実施形態に係る画像観賞システムの機能構成を示す図。
【図４】本発明の実施形態に係る画像観賞システムにおける画像観賞の処理の流れを示すタイミング図。
【図５】本発明の実施形態に係る画像観賞システムにおけるタグ情報に応じたスライドショーの画像の更新処理の流れを示すタイミング図。
【図６】本発明の実施形態に係る画像観賞システムにおける画像データが入力される処理の流れを示すタイミング図。
【符号の説明】
【０１０２】
１…画像観賞システム、２…画像表示装置、３…データハンドリング装置、４…データ管理装置、５…パーソナルコンピュータ、１０Ａ，１０Ｂ，１０Ｃ…ＣＰＵ、１２Ａ，１２Ｂ，１２Ｃ…ＲＯＭ、１４Ａ，１４Ｂ，１４Ｃ…ＲＡＭ、１６Ａ，１６Ｂ，１６Ｃ…記憶装置、１８Ａ，１８Ｂ…計時回路、２０Ｂ，２０Ｃ…画像処理回路、２２Ａ，２２Ｂ，２２Ｃ…入力Ｉ／Ｆ、２４…表示パネル駆動回路、２６Ａ，２６Ｂ，２６Ｃ…通信Ｉ／Ｆ、２７Ｂ，２７Ｃ…出力Ｉ／Ｆ、２８Ａ，２８Ｂ，２８Ｃ…バス、２９…ケーブル、３０…人感センサ、３２…タッチセンサ、３３…指示具、３４…表示パネル、３６Ａ，３６Ｂ…無線通信装置、３８Ｂ，３８Ｃ…有線通信装置、４０Ｂ，４０Ｃ…メモリカードリーダ、４２…スキャナ、４３Ｂ，４３Ｃ…キーボード、４４Ｂ，４４Ｃ…表示装置、４６…ビデオモニタ、５０Ａ，５０Ｂ，５０Ｃ…制御部、５２…感知手段、５４…指示入力手段、５６…表示手段、５８Ａ，５８Ｂ…計時手段、６０Ａ，６０Ｂ…無線通信手段、６２Ｂ，６２Ｃ…有線通信手段、６３…サーバ、６４Ａ，６４Ｂ，６４Ｃ…記憶手段、６５…データ書き込み手段、７２Ｃ…データ修正手段、７３Ｂ，７３Ｃ…ユーザ情報管理手段、７４Ｂ，７４Ｃ…画像入力手段、７５Ｂ，７５Ｃ…タグ情報生成手段、７６Ｂ，７６Ｃ…出力手段、７７…データ管理手段、７８Ｂ，７８Ｃ…表示手段、８０…ノート型コンピュータ、８２…ネットワーク通信装置、８４…ネットワーク通信手段、８５…外部通信手段。
【図１】
2007199190.tif 000003
【図２】
2007199190.tif 000004
【図３】
2007199190.tif 000005
【図４】
2007199190.tif 000006
【図５】
2007199190.tif 000007
【図６】
2007199190.tif 000008